【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
乾燥剤（５０）を保持するための乾燥容器（１０）であって、
(a)第１の端部（１４）と第２の端部（１６）の間の乾燥室（１８）内に乾燥剤（５０）を保持する円筒体（１２）内の乾燥室（１８）を規定する第１の端部（１４）およびその反対側の第２の端部（１６）を有する円筒体（１２）と、
(b)乾燥剤（５０）が乾燥室（１８）から出ることを防ぐために、円筒体（１２）に固定された第１の端部（１４）およびその反対側の第２の端部（１６）と
(c)柔軟性、ガス浸透性、液体不浸透性を有する材料で形成された円筒体（１２）と、
を備えることを特徴とする乾燥容器（１０）。
【請求項２】
第１の端部（１４）に近接して固定された第１の円盤（２０）と、
第２の端部（１６）に近接して固定された第２の円盤（２２）と、
をさらに備えることを特徴とする請求項１に記載の乾燥容器（１０）。
【請求項３】
第１の円盤（２０）が第１の端部（１４）に近接した乾燥室（１８）の内径とほぼ等しい外径を有し、
第２の円盤（２２）が第２の端部（１６）に近接した乾燥室（１８）の内径とほぼ等しい外径を有すること特徴とする請求項２に記載の乾燥容器（１０）。
【請求項４】
円筒体（１２）が第１の端部（１４）に近接した第１の丸められた端部（２４）を形成するように、第１の円盤（２０）が第１の端部（１４）に近接した乾燥室（１８）の内径より約５％から約２０％小さい外径を有することを特徴とする請求項２に記載の乾燥容器（１０）。
【請求項５】
円筒体（１２）が第２の端部（１６）に近接した第２の丸められた端部（２６）を形成するように、第２の円盤（２２）が第２の端部（１６）に近接した乾燥室（１８）の内径より約５％から約２０％小さい外径を有することを特徴とする請求項２に記載の乾燥容器（１０）。
【請求項６】
第１の円盤（２０）が乾燥室（１８）内に固定されていることを特徴とする請求項２に記載の乾燥容器（１０）。
【請求項７】
第２の円盤（２２）が乾燥室（１８）内に固定されていることを特徴とする請求項２に記載の乾燥容器（１０）。
【請求項８】
第１の円盤（２０）および第２の円盤（２２）が通気性を有する材料で形成されたことを特徴とする請求項２に記載の乾燥容器（１０）。
【請求項９】
第１の円盤（２０）および第２の円盤（２２）が剛性を有する材料で形成されたことを特徴とする請求項２に記載の乾燥容器（１０）。
【請求項１０】
第１の端部（１４）が、乾燥室（１８）から離れた方向に乾燥容器（１０）から伸びる第１の端拡張部（２８）を含むことを特徴とする請求項１に記載の乾燥容器（１０）。
【請求項１１】
第１の端拡張部（２８）が、乾燥剤が乾燥室（１８）から出ないように第１の端部（１４）を閉じるための密閉手段を含むことを特徴とする請求項１０に記載の乾燥容器（１０）。
【請求項１２】
第１の端拡張部（２８）が第１の端部（１４）を閉じるために互いに折りたたまれるように設計された複数の折ぶた（３０Ａ、３０Ｂ、３０Ｃ、３０Ｄ）を含むことを特徴とする請求項１０に記載の乾燥容器（１０）。
【請求項１３】
第１の円盤（２０）が第１の端部（１４）に近接した乾燥室（１８）内に固定され、
第１の端拡張部（２８）が第１の端部（１４）を閉じるために第１の円盤（２０）の上に折りたたまれるように設計された複数の折ぶた（３０Ａ、３０Ｂ、３０Ｃ、３０Ｄ）を含むことを特徴とする請求項１０に記載の乾燥容器（１０）。
【請求項１４】
乾燥容器（１０）の第１の端部（１４）または第２の端部（１６）の少なくとも一方に固定されたスペーサ（３２）をさらに含むことを特徴とする請求項１に記載の乾燥容器（１０）。
【請求項１５】
乾燥剤（５０）を保持するための乾燥容器（１０）を製造する方法であって、
(a)柔軟性、ガス浸透性、液体不浸透性を有する材料で、乾燥室(１８）が第１の端部（１４）と第２の端部（１６）との間に乾燥剤（５０）を保持する円筒体（１２）内に規定されるように設計された、第１の端部（１４）およびその反対の第２の端部（１６）を有する円筒体（１２）を形成する工程と、
(b)次に、乾燥剤（５０）が第１の端部（１４）から出ないように第１の端部（１４）を閉じる工程と、
(c)次に、乾燥室（１８）に乾燥剤（５０）を充填する工程と、
(d)次に、乾燥剤（５０）が第２の端部（１６）から出ないように第２の端部（１６）を閉じる工程と、
を備える方法。
【請求項１６】
第１の端部（１４）を閉じる工程の後、第１の端部（１４）に近接して第１の円盤（２０）を固定する工程と、
第２の端部（１６）を閉じる工程の後、第２の端部（１６）に近接して第２の円盤（２２）を工程する工程と、
をさらに備える請求項１５に記載の乾燥容器（１０）の製造方法。
【請求項１７】
第１の端部（１４）を閉じる工程が、
第１の端部（１４）を閉じる前に、乾燥容器（１８）の中で第１の端部（１４）に近接して第１の円盤（２０）を固定する工程と、
次に、第１の端部（１４）を閉じる工程と、
をさらに含み、
第２の端部（１６）を閉じる工程が、
第２の端部（１６）を閉じる前に、乾燥容器（１８）の中で第２の端部（１６）に近接して第２の円盤（２２）を固定する工程と、
をさらに含む請求項１５に記載の乾燥容器（１０）の製造方法。
【請求項１８】
第１の円盤（２０）の上で第１の端拡張部（２８）を丸めて、第１の丸められた端部（２４）を形成する工程と、
第２の円盤（２２）の上で第２の端拡張部（３０）を丸めて、第２の丸められた端部（２６）を形成する工程と、
をさらに含む請求項１７に記載の乾燥容器（１０）の製造方法。
【請求項１９】
乾燥剤（５０）を保持するための乾燥容器（１０’）を製造する方法であって、
(a)柔軟性、ガス浸透性、液体不浸透性を有する材料を形成管（４０）の周りに巻き付けて、円筒体（１２’）を形成する工程と、
(b) 形成管（４０）の底部（４２）に近接して第１の円盤（２０’）を挿入する工程と、
(c)次に、第１の端拡張部（２８’）が第１の円盤（２０’）の側に伸びるように、形成管（４０）の底部（４２）上および第１の円盤（２０’）上で円筒体（１２’）を移動する工程と、
(d)第１の円盤上（２０’）上で第１の端拡張部（２８’）を丸めて、乾燥容器（１０’）の第１の端部（１４’）を形成し、かつ閉じる工程と、
(e)円筒体（１２’）を形成管（４０）から取り外す工程と、
(f)次に、乾燥剤（５０）を乾燥容器（１０’）の乾燥室（１８’）に挿入する工程と、
(g)次に、乾燥容器（１０’）の第２の端部（１６’）に近接して乾燥剤（５０）の上方で、乾燥室（１８’）に第２の円盤（２２’）を挿入する工程と、
(h)第２の円盤（２２’）上で第２の端拡張部（３０’）を丸めて、第２の端部（１６’）を閉じる工程と、
を含む方法。
【請求項２０】
第１の端拡張部（２８’）を丸める工程の前に、乾燥容器（１０’）の第１の端部（１４’）に近接した乾燥室（１８’）の内径より約５％から約２０％小さい外径を有する第１の円盤（２０’）を挿入することにより、容器（１０’）の第１の端部（１４’）において第１の丸められた端部（２４’）を形成する工程と、
第２の端拡張部（３０’）を丸める工程の前に、乾燥容器（１０’）の第２の端部（１６’）に近接した乾燥室（１８’）の内径より約５％から約２０％小さい外径を有する第２の円盤（２２’）を挿入することにより、第２の端部（１６’）において第２の丸められた端部（２６’）を形成する工程と、
をさらに含む請求項１９に記載の乾燥容器（１０’）の製造方法。
【手続補正２】
【補正対象書類名】明細書
【補正対象項目名】００１８
【補正方法】変更
【補正の内容】
【００１８】
また、第１および／または第２の円盤２０、２２は、第１および／または第２の端部１４、１６に近接した乾燥室１８の内径より約５％から約２０％小さい外径を有する寸法を有してよい。第１および第２の円盤２０、２２を乾燥室１８の内径より小さくすることにより、第１および第２の端部１４、１６は、第１の端部１４、第２の端部１６に近接した乾燥室１８の内径とほぼ同等の直径を有する第１および第２の円盤２０、２２の外径に起因する四角い端部（図示せず）に代えて、第１の端部１４、第２の端部１６に近接した第１および第２の円盤２０、２２を取り囲む、丸められた、または面取りされた端部２４を形成するように簡単に設計されてよい。丸められた端部２４、２６は、最新の高速包装機械での乾燥容器の自動化加工に役立つ。方向確認を容易にするため、乾燥容器１０が唯一の丸められた端部２４を有するように、第１および第2の円盤２０、２２の一方のみが縮小された外径を有してよい。
【手続補正３】
【補正対象書類名】明細書
【補正対象項目名】００２０
【補正方法】変更
【補正の内容】
【００２０】
この他、第１の端拡張部は、複数の折りぶた３０Ａ、３０Ｂ、３０Ｃ、３０Ｄを形成するように切断されていてもよく、折りぶたは、第１の端部１４を効果的に閉じること向上させるために順次または交互に折りたたまれてよい。複数の折りぶた３０Ａ、３０Ｂ、３０Ｃ、３０Ｄは、第１の端部１４を閉じるために互いに接着されてもよく、または、好ましくは、折りぶたは、第１の円盤２０の上に折りたたまれ、第１の端部１４を閉じるために第１の円盤２０に接着されてよい。さらに、第１の端部１４を閉じるために、折りぶた３０Ａ、３０Ｂ、３０Ｃ、３０Ｄは互いに折りたたまれ、かつ接着されてよく、次に、第１の円盤２０は、乾燥容器１０の円筒形状の維持を高め、かつ自動包装機械（図示せず）での乾燥容器１０のハンドリングを容易にするために折りぶたに接着されてよい。複数の折りぶた３０Ａ、３０Ｂ、３０Ｃ、３０Ｄは、図示された２つの折りぶたを含み、または、好ましくは、第１の端拡張部２８は、８つの折りぶた（図示せず）を含んでよい。
【手続補正４】
【補正対象書類名】明細書
【補正対象項目名】００２５
【補正方法】変更
【補正の内容】
【００２５】
端部１４、１６を閉じるさらなる方法は、円筒体１２を形成する第１および第２の端部を、散弾銃用弾丸の放出端の波形のように、単に折りたたみ、波形にすることを含む。端拡張部を折りたたみ、接着することによっても好ましい乾燥容器１０が製造される。しかし、そのような実施の形態の製造に配慮しない場合には、得られる乾燥容器は、時に、後のハンドリングにおいて円筒形状が変質しうる。